(57)【特許請求の範囲】
【請求項１】
筐体の一部を構成し、前面側が開口する箱形の基体部と、
前記筐体の他の一部を構成し、前記基体部の前面側に取り付けられ、前記基体部の開口面を覆う開閉自在のフロントマスク部と、
前記フロントマスク部の前面側に配置され、遊技者が遊技に必要なメダルを投入するメダル投入口と、
前記フロントマスク部の後面側に配置され、前記メダル投入口から投入されたメダルが受付可能であるか否かを選別するメダル選別装置と
を備える遊技機であって、
前記メダル選別装置は、前記フロントマスク部の後面側に、上下方向に延びる回動中心線を中心に回動可能に支持され、
前記メダル投入口は、前記メダル選別装置に一体として回動するように取り付けられ、
前記メダル選別装置は、
前記フロントマスク部の後面側に、上下方向に延びる回動中心線を中心に回動可能に支持されるセレクターケースと、
前記セレクターケースに着脱自在に取り付けられてメダルを選別するセレクター本体とから構成され、
前記遊技機は、
前記フロントマスク部の前面側に前面に突出して設けられ、前記メダル投入口から投入したメダルの詰まりを解消するためのイジェクトボタンを備え、
前記イジェクトボタンの当接により前記メダル投入口の回動が規制されるように前記セレクターケースに切欠きを形成した
ことを特徴とする遊技機。
【発明の詳細な説明】
【技術分野】
【０００１】
本発明は、遊技者が遊技に必要なメダルを投入するためにフロントマスク部の前面側に配置されたメダル投入口と、メダル投入口から投入されたメダルが受付可能であるか否かを選別するためにフロントマスク部の後面側に配置されたメダル選別装置とを備える遊技機に係わり、詳しくは、遊技者がメダル投入口を最もメダルを投入しやすい位置に設定することができる技術に関するものである。
【背景技術】
【０００２】
一般に、遊技機の１つであるスロットマシンは、フロントマスク部の前面側の右側（遊技者が正面から見て右側）にメダル投入口が固定して設けられており、メダル投入口は、鉛直に近い傾斜を有する、スリット状のメダル投入路と、このメダル投入路の開口部から前方に延びるメダル保持座とを有している。
このようなスロットマシンは、メダル投入口の投入路と、この投入路の真下に設けられたメダル選別装置の選別通路の入口（矩形状の入口）とが位置合わせされて、メダル投入口にメダルを投入すると、投入されたメダルはメダル投入路からメダル選別装置の選別通路の入口に誘導されるようになっている。
【０００３】
ここで、メダル投入口を着脱可能とし、スロットマシンからメダル投入口を分離させて、容易に清掃ができるようにしたものが知られている（例えば、特許文献１参照）。
【特許文献１】特開平３−１８８８８３号公報
【発明の開示】
【発明が解決しようとする課題】
【０００４】
しかし、従来のメダル投入口は、フロントマスク部に固定されているので、遊技者が長時間遊技している間にいろいろな体勢をとると、メダル投入口にメダルの投入が困難になることがある。また、左利きの遊技者が左手でメダル投入口にメダルを投入しようとすると、メダルを持った左手を右手側にあるメダル投入口まで伸ばさなければならず面倒である。このため、遊技者が疲れてメダルを落下させるなどして余計なストレスを生じる問題がある。
【０００５】
ここで、メダル投入口の向きを変えることができるようにすることが考えられる。しかし、メダル投入口を回転させると、メダル投入口と、メダル投入口に連通するメダル選別装置との位置が合わなくなり、メダル投入口から投入したメダルがメダル選別装置に正しく誘導されないおそれがある。
【０００６】
したがって、本発明が解決しようとする課題は、遊技者が最もメダルを投入しやすい位置にメダル投入口を設定できるようにするとともに、メダル投入口に投入されたメダルをメダル選別装置に正しく誘導できるようにすることである。
【課題を解決するための手段】
【０００７】
本発明は、以下の解決手段によって上述の課題を解決する。
本発明は、筐体の一部を構成し、前面側が開口する箱形の基体部と、前記筐体の他の一部を構成し、前記基体部の前面側に取り付けられ、前記基体部の開口面を覆う開閉自在のフロントマスク部と、前記フロントマスク部の前面側に配置され、遊技者が遊技に必要なメダルを投入するメダル投入口と、前記フロントマスク部の後面側に配置され、前記メダル投入口から投入されたメダルが受付可能であるか否かを選別するメダル選別装置とを備える遊技機であって、前記メダル選別装置は、前記フロントマスク部の後面側に、上下方向に延びる回動中心線を中心に回動可能に支持され、前記メダル投入口は、前記メダル選別装置に一体として回動するように取り付けられ、前記メダル選別装置は、前記フロントマスク部の後面側に、上下方向に延びる回動中心線を中心に回動可能に支持されるセレクターケースと、前記セレクターケースに着脱自在に取り付けられてメダルを選別するセレクター本体とから構成され、前記遊技機は、前記フロントマスク部の前面側に前面に突出して設けられ、前記メダル投入口から投入したメダルの詰まりを解消するためのイジェクトボタンを備え、前記イジェクトボタンの当接により前記メダル投入口の回動が規制されるように前記セレクターケースに切欠きを形成したことを特徴とする。
【０００８】
（作用）
本発明においては、メダル選別装置は、フロントマスク部の後面側に、上下方向に延びる回動中心線を中心に回動可能に支持され、メダル投入口は、前記メダル選別装置に一体として回動するように取り付けられる。これにより、メダル投入口及びメダル選別装置を上下方向に延びる回動中心線を中心に一体として回動することができる。
さらに、フロントマスク部の後面側に、上下方向に延びる回動中心線を中心に回動可能に支持されるセレクターケースにメダルを選別するセレクター本体を着脱自在に取り付けてメダル選別装置を構成する。
また、フロントマスク部の前面側に前面に突出して設けられたイジェクトボタンをセレクターケースに形成された切欠きに当接することによりメダル投入口の回動を規制する。これにより、メダル投入口は、所定の回動範囲内で回動することができる。
【発明の効果】
【００１３】
本発明によれば、遊技者が遊技機のメダル投入口を最もメダルを投入しやすい位置に設定できる。
また、遊技者が遊技機のメダル投入口を最もメダルを投入しやすい位置に設定しても、メダル投入口に投入されたメダルをメダル投入路からメダル選別装置の選別通路の入口に正しく誘導することができる。
【発明を実施するための最良の形態】
【００１４】
以下、図面等を参照して、本発明の一実施形態について説明する。
なお、以下の実施形態では、本発明の遊技機として、スロットマシン１０を例に挙げて説明する。
【００１５】
図１は、本実施形態のスロットマシン１０を示す前面側の斜視図である。
また、図２は、図１中、スロットマシン１０のフロントマスク部１２を開放し、基体部１１の内部が見えるように図示した正面図である。
図１及び図２に示すように、スロットマシン１０の筐体は、基体部１１と、基体部１１の前面側に取り付けられた開閉自在のフロントマスク部１２とから構成されている。
【００１６】
ここで、基体部１１は、木材等を組み立てて、前面側が開口する箱形に形成したものである。そして、基体部１１の内部であって、その下方部には、図２に示すように、遊技に必要な電力を供給する電源ユニット１０１と、メダルを貯留しておくホッパータンク１０８と、ホッパータンク１０８に貯留されたメダルを払い出すメダル払出し装置１０２とが設けられている。
【００１７】
また、基体部１１の内部であって、ホッパータンク１０８の上方部には、リールベース１０３が設けられている。さらにまた、このリールベース１０３の上に、リング状のリール３１が３つ並設して固定され、図柄変動表示装置３０を構成している。さらにまた、各リール３１の外周面には、複数（本実施形態では２１個）の図柄（役を構成する図柄）を印刷したリールテープがそれぞれ貼り付けられている（図示せず）。
そして、図柄変動表示装置３０における各リール３１の回転中心部には、それぞれステッピングモータからなるリール駆動モータ（図示せず）が連結されており、リール駆動モータの駆動制御によって各リール３１が個別に回転するようになっている。なお、各リール３１の内周内側には、図柄を背後から照光するためのバックランプ（図示せず）が取り付けられている。
【００１８】
一方、フロントマスク部１２は、基体部１１の開口面を覆うようにして、基体部１１に開閉自在に取り付けられたものである。なお、フロントマスク部１２は、その前面側に取り付けられたドアキー４６により、基体部１１に施錠できるようになっている。
そして、このフロントマスク部１２には、図１に示すように、その前面側（遊技者側）に、ベットスイッチ４０、スタートスイッチ４１、ストップスイッチ４２、イジェクトスイッチ４３、メダル投入口４４、及びメダル受け皿４５が配置されている。
【００１９】
ここで、ベットスイッチ４０は、遊技者が貯留メダルを投入するときに操作するスイッチである。また、スタートスイッチ４１は、図２に示す図柄変動表示装置３０の各リール３１を始動させるときに遊技者が操作するスイッチである。さらにまた、ストップスイッチ４２は、３つのリール３１に対応して３つ設けられ、対応する各リール３１を個別に停止させるときに遊技者が操作するスイッチである。さらに、イジェクトスイッチ４３は、メダル投入口４４から投入したメダルの詰まりを解消するときに操作するスイッチである。メダル投入口４４は、遊技者が実際にメダルを投入するときに用いられるものである。また、メダル受け皿４５は、スロットマシン１０の内部から支払われたメダルを受ける（貯留する）ものである。
【００２０】
また、スタートスイッチ４１等よりも上方部には、遊技中における演出を出力するための上部ランプ２１ａ及びサイドランプ２１ｂ、スピーカー２２、液晶表示器からなる画像表示装置２３からなる演出出力機器が設けられている。
ここで、上部ランプ２１ａやサイドランプ２１ｂ等は、スロットマシン１０の演出用のランプであり、役の入賞時等に点滅するものである。
また、スピーカー２２は、フロントマスク部１２の上部に設けられ、遊技中に各種の演出を行うべく、所定の条件を満たしたときに、所定のサウンドを出力するものである。
さらにまた、画像表示装置２３は、液晶表示器であり、各種の図柄を画像表示して、遊技中に図柄による様々な演出を表示するものである。
【００２１】
さらに、フロントマスク部１２の中央部には、透明窓１３が設けられており、この透明窓１３から、基体部１１の内部の各リール３１における上下に連続する３つの図柄が見えるようになっている。そのため、透明窓１３からは、各リール３１の合計９個の図柄が透視できることとなる。そして、リール３１の停止時における図柄の組合せラインとなる有効ラインは、水平方向上段、中段及び下段と、右下がり及び右上がりの斜め方向の各ラインの合計５本となっている。
【００２２】
また、フロントマスク部１２の後面側（裏面側）の下方部には、メダル投入口４４（図１参照）に対応して、メダル選別装置１１０が配置されている。このメダル選別装置１１０は、投入されたメダルが遊技状態等に応じて受付け可能であるか否かを選別する装置であり、メダルの受付けができる場合には、投入されたメダルは、メダル誘導路１０７を介してホッパータンク１０８に誘導され、貯留される。逆に、メダルの受付けができない場合には、投入されたメダルは、メダル返却路１０９を介してメダル受け皿４５（図１参照）に誘導され、返却される。
【００２３】
さらにまた、基体部１１の内部にある図柄変動表示装置３０の上方部には、透明な基板ケース１０５内に収容されたメイン制御基板１０４が配置されている。なお、メイン制御基板１０４は、不正を防止するため、基板ケース１０５内に収容された後にかしめされ、封印されている。
このメイン制御基板１０４は、遊技の進行等の全体を制御する制御基板であり、図示はしないが、演算等を行うＣＰＵ、遊技プログラムを記憶したＲＯＭ、遊技用等のデータを一時的に記憶するＲＡＭ等からなるメイン制御手段を備えたものである。このメイン制御手段の入力側には、上述したベットスイッチ４０、スタートスイッチ４１、及び３つのストップスイッチ４２が電気的に接続されており、メイン制御手段の出力側には、上述したリール駆動モータが電気的に接続されている。そして、メイン制御手段は、役の抽選、各リール３１（図２参照）の駆動制御、入賞時の払出し等といった遊技の進行の全体を制御する。
【００２４】
一方、フロントマスク部１２の後面側（裏面側）の上方部には、サブ制御基板１０６が設けられている。このサブ制御基板１０６は、遊技中における演出を制御する基板であり、図示はしないが、演算等を行うＣＰＵ、演出プログラム及び演出用のデータを記憶したＲＯＭ、各種のデータを一時的に記憶するＲＡＭ等からなるサブ制御手段を備えている。なお、サブ制御基板１０６は、メイン制御基板１０４の下位に属する基板であり、メイン制御基板１０４とは、図示しないハーネス（電気配線の束）によって電気的に接続されている。そして、メイン制御基板１０４からサブ制御基板１０６に対して演出実行指令等が送信されるようになっている。
【００２５】
また、サブ制御手段の出力側には、上述した上部ランプ２１ａやサイドランプ２１ｂ等の各ランプ、スピーカー２２、及び画像表示装置２３からなる演出出力機器が接続されており、これらの演出出力機器は、サブ制御手段の制御によって動作する。
【００２６】
スロットマシン１０で遊技を行うには、遊技者がメダル投入口４４からメダルを投入するか、又はベットスイッチ４０を操作して貯留メダルを投入する。すると、投入されたメダル枚数に応じて有効ラインが設定される。次に、遊技者によってスタートスイッチ４１が操作されると、そのときに発生する信号がメイン制御手段に入力され、メイン制御手段は、この信号に基づいてリール駆動モータを駆動することで、全てのリール３１（図２参照）が回転するように制御する。そのため、各リール３１が回転し、透明窓１３内において、各リール３１の図柄が所定の速度で上下方向に移動表示されることとなる。
【００２７】
また、メイン制御手段は、スタートスイッチ４１が操作されると、役の抽選を行うとともに、スタートスイッチ４１が操作された旨の信号及び役の抽選結果に係る信号をサブ制御手段に送信する。これにより、サブ制御手段は、これらの受信した信号に基づいて、サブ制御手段の出力側に接続された演出出力機器の制御（上部ランプ２１ａやサイドランプ２１ｂ等の各ランプの点灯、スピーカ２２からのサウンド出力、画像表示装置２３の画像表示）を行う。
【００２８】
さらにまた、遊技者によってストップスイッチ４２が操作されると、そのときに発生する信号がメイン制御手段に入力され、メイン制御手段は、リール駆動モータを駆動して、操作されたストップスイッチ４２に対応するリール３１（図２参照）を停止させるように制御する。さらに、メイン制御手段は、ストップスイッチ４２が操作された旨の信号を受信すると、その旨の信号をサブ制御手段に送信する。サブ制御手段は、この受信した信号に基づいて、上述したような演出の出力を制御する。そして、メイン制御手段は、全てのリール３１の停止時に、いずれかの役に対応する図柄の組合せが有効ラインに停止し、当選した役が入賞したか否かを判断するとともに、入賞したと判断したときは、その役に対応する枚数のメダルをクレジットに加算する処理を行うか、又はメダルの払出しを行うように制御する。
【００２９】
このように、スロットマシン１０は、遊技者がメダル投入口４４からメダルを投入等することによって遊技が開始され、当選役の入賞によってメダルの払出しが行われるが、メダル投入口４４に投入したメダルは、図２に示すメダル選別装置１１０によって受付け可能であるか否かが選別される。すなわち、遊技者が投入したメダルが遊技状態等に応じて受付け可能であれば、投入されたメダルがメダル誘導路１０７を介してホッパータンク１０８に誘導され、貯留される。そして、次の遊技開始の条件として使用される３枚のメダルを除き、最大５０枚のメダルがクレジットされ、貯留メダルとなる。
【００３０】
次に、フロントマスク部１２、メダル投入口４４、セレクターケース１１１、及びセレクター本体１１２についてそれぞれ詳しく説明する。
図３は、セレクターケース１１１、メダル投入口４４、及びセレクター本体１１２を組み立てたものを示す斜視図である。
また、図４は、セレクターケース１１１、メダル投入口４４、及びセレクター本体１１２を組み立てたものを示す平面図である。
さらにまた、図５は、セレクターケース１１１、メダル投入口４４、及びセレクター本体１１２の分解した斜視図である。
さらに、図６は、セレクターケース１１１、メダル投入口４４、及びセレクター本体１１２の分解した正面図である。
さらに、図７は、フロントマスク部１２の操作部１２ａとメダル投入口４４とを示す平面図である。
【００３１】
図７に示すように、フロントマスク部１２の前面側中央部には、各種スイッチ及びボタンを操作するための操作部１２ａが設けられており、この操作部１２ａは、前方に向けてやや下り勾配の合成樹脂のパネルとなっている（後述する図１０参照）。この操作部１２ａの右側には、メダル投入口４４の支持部４４ｅを挿入するための支持部挿入孔１２ｂが形成されている。
【００３２】
また、フロントマスク部１２の操作部１２ａには、図１及び図３に示すように、その先端を前方に突出するようにばねで付勢されているイジェクトボタン４３が押圧動作可能に支持されており、イジェクトボタン４３の支持軸は後述するセレクターケース１１１の切欠き１１１ａ２に当接してメダル投入口４４の左右方向の回動を規制するようになっている。
【００３３】
合成樹脂からなるメダル投入口４４は、図１、図３から図７までに示すように、鉛直に近い傾斜を有する、スリット状のメダル投入路４４ａと、このメダル投入路４４ａの開口部から前方に延びるメダル保持座４４ｂとを有する基部４４ｃを備えており、この基部４４ｃの下面には、セレクターケース１１１にネジ止め固定するための一対のネジ穴４４ｄ（図６参照）が設けられているとともに、フロントマスク部１２の支持部挿入孔１２ｂに挿入する円筒状支持部４４ｅ（図６参照）が形成されている。
【００３４】
また、セレクター本体１１２は、図６に示すように、本体フレーム１１２ａを有しており、この本体フレーム１１２ａの底面部の上方部には、メダル投入口４４の投入路４４ａからメダルが誘導される入口とメダルの外径を規制する外径規制板（図示せず）とを備えるメダル規制機構１１４が設けられており、その下方部には、メダルが受付け可能であるか否かを遊技状態等に応じて選別するメダル選別機構１１５と、受付け可能なメダルをカウントする計数センサー１１６とが設けられている。
さらに、本体フレーム１１２ａの下方部には、メダル選別通路１１２ｂを覆うカバー１１３が設けられており、メダル選別通路１１２ｂとカバー１１３との間にメダル返却路１０９（図２参照）が接続されている。
【００３５】
また、メダル規制機構１１４と計数センサー１１６との間には、メダル誘導溝が形成された縦方向の通路及び横方向の通路が設けられており、横方向の通路は、斜め下向きに傾斜して、その出口がメダル誘導路１０７（図２参照）に接続されている。横方向の通路の上側端には、横方向の通路のメダル誘導溝に対向するメダル誘導溝を有するメダル選別機構１１５が設けられており、メダル選別機構１１５はメダルを誘導する位置とメダルを誘導しない位置とが選択可能となっている。
【００３６】
さらに、図６に示すように、本体フレーム１１２ａの左右側面部には、後述する固定側壁１１１ｃの取付け孔１１１ｃ１に嵌め込むための一対の突起部１１２ｃと後述する可動側壁１１１ｄの取付け孔１１１ｄ１に嵌め込むための一対の突起部１１２ｄとが設けられている。
【００３７】
また、図５及び図６に示すように、板金のセレクターケース１１１は、下方が開放された箱形のものであって、底壁１１１ａと、この底壁１１１ａの上端で略直角に折り曲げられた投入口取付け壁１１１ｂと、底壁１１１ａの左側端で略直角に折り曲げられた固定側壁１１１ｃと、右側端で外側に向けて開閉可能な可動側壁１１１ｄ及び誘導路取付け側壁１１１ｅとからなる。
【００３８】
セレクターケース１１１の底壁１１１ａには、固定側壁１１１ｃの近くに隙間防止部材１１１ａ１が形成されるとともに、その上部にはイジェクトボタン４３の支持軸の当接によりメダル投入口４４の回動を規制するために十字形状の切欠き１１１ａ２が形成されている（図６参照）。 
また、投入口取付け壁１１１ｂには、メダル投入口４４の一対のネジ穴４４ｄに対応する位置に一対のネジ孔１１１ｂ１が形成されるとともに、その両端には、フロントマスク部１２の操作部１２ａの下面に当接してメダル投入口４４の上下方向の移動を規制するための一対の円弧形状のガイド部材１１１ｂ２が形成されている。
【００３９】
さらにまた、固定側壁１１１ｃには、セレクター本体１１２の突起部１１２ｃを嵌め込んで取り付けるための取付け孔１１１ｃ１が形成され、可動側壁１１１ｄには、外側に向けて開閉可能で、セレクター本体１１２の突起部１１２ｄを嵌め込んで取り付けるための取付け孔１１１ｄ１（図示せず）が形成されており、誘導路取付け側壁１１１ｅには、メダル誘導路１０７がネジ止めされている。
なお、セレクターケース１１１には、底壁１１１ａ、投入口取付け壁１１１ｂ、固定側壁１１１ｃ、及び可動側壁１１１ｄ等によりセレクター収容部１１１ｆが形成されており、このセレクター収容部１１１ｆにセレクター本体１１２が収容される。
【００４０】
次に、上述したセレクターケース１１１、メダル投入口４４、及びセレクター本体１１２を組み立てる工程について説明する。
まず、図５及び図６に示すように、メダル投入口４４の一対のネジ穴４４ｄにセレクターケース１１１の投入口取付け壁１１１ｂのネジ孔１１１ｂ１の位置を合わせてネジＳでネジ止めする。
【００４１】
次に、セレクターケース１１１の可動側壁１１１ｄを外側に開いた状態で、固定側壁１１１ｃの取付け孔１１１ｃ１にセレクター本体１１２の突起部１１２ｃを嵌め入れてから、可動側壁１１１ｄを閉じてその取付け孔１１１ｄ１にセレクター本体１１２の突起部１１２ｄを嵌め込む。これにより、セレクターケース１１１とセレクター本体１１２とをメダル選別装置１１０として一体化して、メダル投入口４４の投入路４４ａ（図１０参照）と、メダル選別装置１１０の選別通路１１２ｂの入口とを位置合わせする。
【００４２】
一方、セレクターケース１１１の可動側壁１１１ｄを外側に開いてセレクター本体１１２の突起部１１２ｄを外し、次いで、固定側壁１１１ｃの取付け孔取付け孔１１１ｃ１からセレクター本体１１２の突起部１１２ｃを抜けば、セレクターケース１１１からセレクター本体１１２を取り外すことができる。
このように、メダル選別装置１１０は、セレクターケース１１１にセレクター本体１１２を着脱自在に取り付けられたものである。
【００４３】
次に、フロントマスク部１２の操作部１２ａにメダル投入口４４及びメダル選別装置１１０を回動可能に支持する工程について説明する。
まず、フロントマスク部１２の操作部１２ａの支持部挿入孔１２ｂにメダル投入口４４の支持部４４ｅを挿入し、メダル投入口４４をフロントマスク部１２の操作部１２ａに回動可能に支持する。
次に、メダル投入口４４の基部４４ｃの一対のネジ穴４４ｄにセレクターケース１１１の投入口取付け壁１１１ｂの一対のネジ孔１１１ｂ１からネジＳを挿入してネジ止めする。
【００４４】
この際、図１０に示すように、フロントマスク部１２の操作部１２ａの下面にセレクターケース１１１のガイド部材１１１ｂ２を当接させて、メダル投入口４４を上下方向に通る回動中心軸を中心として回動可能に支持し、メダル選別装置１１０がやや前傾姿勢になるようにする。
【００４５】
これにより、フロントマスク部１２の操作部１２ａと、メダル投入口４４の基部４４ｃの下面と、セレクターケース１１１の投入口取付け壁１１１ｂとが略平行になるとともに、メダル投入口４４の投入路４４ａとメダル選別装置１１０の選別通路１１２ｂの入口とは、鉛直方向に対する傾斜角度がほぼ同じとなる。
【００４６】
なお、図１０は、メダル投入口４４の投入路４４ａとメダル選別装置１１０の選別通路１１２ｂの入口との関係、及びフロントマスク部１２の操作部１２ａの下面にセレクターケース１１１のガイド部材１１１ｂ２が当接した状態を説明するためにメダル投入口４４の支持部４４ｅを点線で示している。
【００４７】
上述したようにしてセレクターケース１１１にセレクター本体１１２を取り付けてメダル選別装置１１０を構成すると、メダル投入口４４の投入路４４ａとメダル選別装置１１０の選別通路１１２ｂの入口とが位置合わせされる。これにより、メダル投入口４４に投入されたメダルがメダル投入路４４ａからメダル選別装置１１０の選別通路１１２ｂの入口に正しく誘導されることとなる。
【００４８】
次に、メダル投入口４４の回動する範囲について説明する。
まず、図８に示すように、投入口４４が正面位置、すなわち、メダル投入口４４のメダル保持座４４ｂが前方に延びているとき、イジェクトボタン４３の支持軸は、セレクターケース１１１の切欠き１１１ａ２の左右方向の中央に位置している（図３参照）。
【００４９】
また、メダル投入口４４を上側から見て正面位置から時計回りに回動すると、メダル選別装置１１０も一体として回動して、イジェクトボタン４３の支持軸は、セレクターケース１１１の切欠き１１１ａ２の左右方向の右側端に当接する。このとき、図９に示すように、メダル投入口４４は、メダル投入口４４のメダル保持座４４ｂが遊技者の左手方向に延びている左位置となる。
【００５０】
一方、メダル投入口４４を上側から見て正面位置から反時計回りに回動すると、メダル選別装置１１０も一体として回動して、イジェクトボタン４３の支持軸は、セレクターケース１１１の切欠き１１１ａ２の左右方向の左側端に当接する。このとき、図示しないが、メダル投入口４４は、正面位置に対して左位置と対称になる右位置となる。
【００５１】
上述したことから、メダル投入口４４は、左位置と右位置との間の回動範囲（以下、所定の回動範囲という。）内の任意の位置に設定できるとともに、メダル投入口４４を回動すると、メダル選別装置１１０も一体として回動して、メダル投入口４４の投入路４４ａとメダル選別装置１１０の選別通路１１２ｂの入口との位置合わせが保持される。
したがって、所定回動範囲内の任意の位置でメダル投入口４４に投入されたメダルは、メダル投入口４４の投入路４４ａからメダル選別装置１１０の選別通路１１２ｂの入口に正しく誘導される。
【００５２】
次に、遊技者によるメダル投入口４４の位置の設定について説明する。
先ず、遊技者は、当然であるが、メダル投入口４４を、図８に示すような従来の位置（正面）に設定して遊技を行うことができる。また、遊技者は、好みに応じてメダル投入口４４を所定の回動範囲内で最も遊技しやすい位置に設定して、遊技を行うことができる。
例えば、右利きの遊技者において、メダル投入口を右向き（図９と反対側の向き）にした方がメダルを投入しやすいと考える場合には、そのような位置にメダル投入口を設定することができる。
【００５３】
また、左利きの遊技者において、メダル投入口を左向き（図９に示す向き）にした方がメダルを投入しやすいと考える場合には、そのような位置にメダル投入口を設定することができる。
さらにまた、仲間同士で、かつ座席を隣同士にして遊技を行う場合において、正面から見て右側の人が左側の人のスロットマシン１０にメダルを入れてあげる場合（例えば、スロットマシン１０の上級者（右側）が、初心者（左側）に教えながら遊技を行う場合等）には、左側の人のスロットマシン１０のメダル投入口４４を右向きに設定すれば、右側の人は、メダルを投入しやすくすることができる。
【００５４】
上述したように、本実施形態では、遊技者がメダル投入口４４を所定の回動範囲内で最もメダルを投入しやすい位置に設定できる。よって、例えば、遊技者が遊技を長時間行っても、メダル投入による疲労が少なく、メダル投入時に誤ってメダルを落下してしまうこと等による余計なストレスを軽減できるという効果がある。
また、本実施形態では、遊技者がメダル投入口４４を所定の回動範囲内で最もメダルを投入しやすい位置に設定しても、メダル投入口４４とメダル選別装置１１０とが一体として回動するので、メダル投入口４４に投入したメダルをメダル投入路４４ａからメダルをメダル選別装置１１０の選別通路１１２ｂの入口に正しく誘導することができる。
【００５５】
さらにまた、本実施形態では、遊技者がメダル投入口４４を回動するとき、フロントマスク部１２の操作部１２ａの下面にセレクターケース１１１のガイド部材１１１ｂ２が当接しているので、メダル投入口４４のガタツキを防止できる。
【００５６】
以上、本発明の実施形態について説明したが、本発明は、上述した実施形態に限定されることなく、例えば、以下のような種々の変更が可能である。
（１）本実施形態では、遊技機の１つとして、スロットマシン１０に適用した例を示したが、これに限ることなく、メダル投入口４４とメダル選別装置１１０を備える遊技機であれば、スロットマシン１０に限らず適用できる。
【００５７】
（２）本実施形態では、メダル投入口４４は、上側から見て時計回り及び反時計回りに回動し、イジェクトボタン４３の支持軸をセレクターケース１１１の切欠き１１１ａ２に当接させてメダル投入口４４の回動を規制するようにしたが、これに限らず、フロントマスク部１２の操作部１２ａにメダル投入口４４の回動を規制する部材を設けるようにしても良い、また、メダル投入口４４の回動をラチェット等で所定範囲内の任意の位置に設定できるようにしても良い。さらにまた、メダル投入口４４を上側から見て正面位置から反時計回りに回動させるようにしても良い。
【００５８】
（３）本実施形態では、フロントマスク部１２の操作部１２ａの支持部挿入孔１２ｂにメダル投入口４４を回動可能に支持し、このメダル投入口４４にメダル選別装置１１０を取り付けるようにしたが、これに限ることなく、フロントマスク部１２の裏面にメダル選別装置１１０を回動可能に上下一対のブラケットで支持する構成にするようにしても良い。
【図面の簡単な説明】
【００５９】
【図１】本実施形態のスロットマシンを示す前面側の斜視図である。
【図２】図１中、スロットマシンのフロントマスク部を開放し、基体部の内部が見えるように図示した正面図である。
【図３】フロントマスク部に取り付けていない状態でセレクターケース、メダル投入口、及びセレクター本体を組み立てたものを示す斜視図である。
【図４】図３に示すセレクターケース、メダル投入口、及びセレクター本体を組み立てたものの平面図である。
【図５】セレクターケース、メダル投入口、及びセレクター本体の分解した斜視図である。
【図６】図５に示すセレクターケース、メダル投入口、及びセレクター本体の分解した正面図である。
【図７】フロントマスク部の操作部とメダル投入口とを示す平面図である。
【図８】メダル投入口が正面位置にある状態を示す図である。
【図９】メダル投入口が左位置にある状態を示す図である。
【図１０】メダル投入口の投入路とメダル選別装置の選別通路の入口との関係、及びフロントマスク部の操作部の下面にセレクターケースのガイド部材が当接した状態を示す断面図である。
【符号の説明】
【００６０】
１０  スロットマシン（遊技機）
１１  基体部
１２  フロントマスク部
１２ａ  操作部
１２ｂ  支持部挿入孔
１３  透明窓
２１ａ  上部ランプ
２１ｂ  サイドランプ
２２  スピーカー
２３  画像表示装置
３０  図柄変動表示装置
３１  リール
４０  ベットスイッチ
４１  スタートスイッチ
４２  ストップスイッチ
４３  イジェクトボタン
４４  メダル投入口
４４ａ  メダル投入路
４４ｂ  メダル保持座
４４ｃ  基部
４４ｄ  ネジ孔
４４ｅ  支持部
４５  メダル受け皿
４６  ドアキー
１０１  電源ユニット
１０２  メダル払出し装置
１０３  リールベース
１０４  メイン制御基板
１０５  基板ケース
１０６  サブ制御基板
１０７  メダル誘導路
１０８  ホッパータンク
１０９  メダル返却路
１１０  メダル選別装置
１１１  セレクターケース
１１１ａ  底壁
１１１ａ１  隙間防止部材
１１１ａ２  切欠き
１１１ｂ  投入口取付け壁
１１１ｂ１  ネジ孔
１１１ｂ２  ガイド部材
１１１ｃ  固定側壁
１１１ｃ１  取付け孔
１１１ｄ  可動側壁
１１１ｄ１  取付け孔
１１１ｅ  取付け側壁
１１１ｆ  収容部
１１２  セレクター本体
１１２ａ  本体フレーム
１１２ｂ  メダル選別通路
１１２ｃ  突起部
１１２ｄ  突起部
１１３  カバー
１１４  メダル規制機構
１１５  メダル選別機構
１１６  計数センサー
Ｓ  ネジ
【図１】
0005339400.tif 000002
【図２】
0005339400.tif 000003
【図３】
0005339400.tif 000004
【図４】
0005339400.tif 000005
【図５】
0005339400.tif 000006
【図６】
0005339400.tif 000007
【図７】
0005339400.tif 000008
【図８】
0005339400.tif 000009
【図９】
0005339400.tif 000010
【図１０】
0005339400.tif 000011